(57)【要約】      （修正有）【課題】家畜の疫病である口蹄疫や、家禽類の鳥インフルエンザウイルスを予防すると共に被害を未然に防止する家畜や養殖魚介類の飼料を提供する。【解決手段】海藻のモズクを液体や粉末を固体状に加工し、前記粉末を半固体状又は固体状（ペレット）に加工し、これらを各々各種容器や袋に充填する。【選択図】図１
0003193208.tif 000002
【実用新案登録請求の範囲】
【請求項１】
モズクの液体を家畜や養殖魚介類の飼料に加工し各種容器に充填する。このモズクの液体を家畜の飼料や養殖魚介類の飼料に加工して、各種容器に充填する事を特徴とする家畜や養殖魚介類の飼料。
【請求項２】
モズクの粉末を家畜や養殖魚介類の飼料に供する為半固体状に加工して各種容器に充填する。このモズクの粉末を家畜や養殖魚介類の飼料に供する為半固体状の飼料に加工して、各種容器に充填する事を特徴とする家畜や養殖魚介類の飼料。
【請求項３】
モズクの粉末を家畜や養殖魚介類の飼料に供する為に固体状（ペレット）に加工して各種容器に充填する。このモズクの粉末を家畜や養殖魚介類の飼料に供する為に固体状（ペレット）に加工して、各種容器に充填する事を特徴とする家畜や養殖魚介類の飼料。
【考案の詳細な説明】
【技術分野】
【０００１】  本考案はモズクを含有する家畜の飼料に関するものである。
【背景技術】
【０００２】  海藻のモズクの成分には食物繊維の他に、ビタミン．ミネラル，カルシウム．鉄分．ヨウ素等を含有している。【０００３】  モズクの食物繊維の成分中に抗菌作用のあるフコイダンを含有しているが、モズクに含まれているフコイダンの含有量は、他の海藻の昆布や若布より５〜６倍も多く含有している。【０００４】  モズクの粉末に含有しているフコイダンの含有量を、財団法人日本食品分析センターに分析を依頼した結果、粉末１００グラム中フコイダンの成分に含有しているフコースは、２４．２グラム含有していると分析された。【０００５】  モズクの食物繊維に含有しているフコイダンは、大学等の研究機関によると胃や腸を丈夫にして免疫力を高める作用や、抗菌作用及び除菌作用がある事が発表されている。【０００６】  ２０１０年６月、国立大学法人富山大学と株式会社理研ビタミンとの研究で、昆布のめかぶに含有しているフコイダンが、鳥インフルエンザの予防に効果がある事をマウスの実験で証明し、世界保健機関（ＷＨ○）に発表している。【０００７】  考案者はモズクの液体とモズクの粉末を半固体状や固体状の飼料用に加工し、又はこのモズクを市販の家畜や養殖魚介類の飼料に混合し。家畜や養殖魚介類に与えると、家畜の口蹄疫や家禽類の鳥インフルエンザを予防する効果があると考え、飼料に加工する事を考案した。
【先行技術文献】
【特許文献】
【０００８】
【特許文献１】平成１７年１１月７日特許第３７３５８３９号公報  乾燥モズクの製造方法  （平成２０年１１月特許失効）
【非特許文献】
【０００９】
【非特許文献１】財団法人日本食品分析センター分析試験成績書、平成１４年１２月２０日、第４０２１２０１１７−００１号
【非特許文献２】財団法人沖縄県環境科学分析センター分析試験成績書  平成１７年６月２１日第２００５‐Ｂ００９２１−０１号
【考案の概要】
【考案が解決しようとする課題】
【００１０】  これまで海藻のモズクを食材以外の用途に利用する事は考えられなかった。このモズクを食品以外に利用する方法として、モズクに含有しているフコイダンを有効に利用する事が課題であった。
【課題を解決する手段】
【００１１】  モズクの粉末１００グラム仲には抗菌作用のあるフコイダンが６０〜７０グラム含有しているが、このモズクのフコイダンには抗菌作用や除菌作用があり、胃や腸を丈夫にすると共に免疫力を高める作用もある。
【００１２】モズクを液体や粉末に加工して家畜や養殖魚介類の飼料に加工すると、モズクを食用以外に利用する用途が広まる。
【００１３】  モズクの食物繊維には抗菌作用のあるフコイダンが豊富に含有しているが、モズクのフコイダンは胃腸の腫痒や病原菌を除去したり死滅させたりする作用がある。このモズクのフコイダンを家畜や養殖魚介類の飼料に加工し、又は市販の飼料と混合した飼料に加工し、家畜や養殖魚介類に飼料として与える。
【考案の効果】
【００１４】モズクを液体に加工し、モズクの粉末は半固体状や固体状（ペレット）に加工して、家畜や養殖魚介類に飼料として与え、又市販の家畜用飼料や養殖魚介類の飼料と混合して家畜や養殖魚介類に与えると、家畜の伝染病である口蹄疫の感染を予防し、家禽類が鳥インフルエンザウイルスに感染する疫病等を予防する効果がある。
【００１５】
【図面の簡単な説明】
【００１６】
【図１】図１は、モズクを液体に加工し、充填したモズクを示した図面代用写真である。（実施例１）
【図２】図２は、半固体状に加工したモズクと、市販の飼料を示した図面代用写真である。（実施例２）
【図３】図３は、粉末を固体状（ペレット）に加工したモズクと、市販の飼料と混合した固体飼料を示した図面代用写真である。（実施例３）
【考案を実施する為の形態】
【００１７】  海藻のモズクを飼料用の液体に加工し、モズクの粉末は半固体状や固体状（ペレット）の飼料に加工する。乂市販の家畜等の飼料と混合して家畜や養殖魚介類に飼料として与えると、家畜類の伝染病である口蹄疫や家禽類の鳥インフルエンザ等の疫病を予防する。
【実施例１】
【００１８】図１の実施例は、モズクを液体に加工し、モズクの液体を充填する工程である。【００１９】図２の実施例は、半固形状に加工した飼料用モズクと、市販の家畜の飼料や養殖魚介類の飼料と飼料用モズクを混合する工程である。【００２０】図３の実施例は、粉末を固形状（ペレット）に加工した飼料用モズクと、市販の家畜の飼料や養殖魚介類の飼料と、固体状のモズクを混合した飼料に加工する工程である。【００２１】
【産業上の利用可能性】
【００２２】海藻のモズクには各種の有効成分を含有しているが、モズクの食物繊維には抗菌作用のあるフコイダンを多量に含有している。これまでモズクは単に酢の物料理の食材として利用されているだけであった。このモズクを食品以外の用途として家畜類の飼料等に利用する為に、モズクを液体や半固体状又は固体状（ペレット）に加工する。又市販の家畜や養殖魚介類の飼料と混合した飼料を家畜や養殖魚介類に与える事により、家畜の口蹄疫の予防や家禽類の鳥インフルエンザ及び養殖魚介類の疫病を予防し、病気を未然に防止する。【００２３】
【符号の説明】
【００２４】１  写真は、モズクを液体に加工し、家畜や養殖魚介類の飼料に使用するが、このモズクの液体を各種容器に充填する。
２  写真は、モズクの粉末を半固体状に加工し、家畜の飼料や養殖魚介類の飼料に使用するが、この半固体状に加工したモズクを、市販の家畜の飼料と混合した飼料に加工し、各種容器に充填する。
３  写真は、モズクの粉末を固体状（ペレット）に加工し、家畜の飼料や養殖魚介類の飼料に使用し、又市販の家畜の飼料と養殖魚介類の飼料と混合した飼料に加工し、各種容器に充填する。
【図１】
0003193208.tif 000003
【図２】
0003193208.tif 000004
【図３】
0003193208.tif 000005
【手続補正書】
【提出日】平成26年7月2日(2014.7.2)
【手続補正１】
【補正対象書類名】実用新案登録請求の範囲
【補正対象項目名】全文
【補正方法】変更
【補正の内容】
【実用新案登録請求の範囲】
【請求項１】
液体に加工された海藻のモズクを各種容器や袋に充填した事を特徴とする家畜や養殖魚介類の飼料。
【請求項２】
粉末に加工された海藻のモズクを半固体状に加工して各種容器や袋に充填した事を特徴とする家畜や養殖魚介類の飼料。
【請求項３】
粉末に加工された海藻のモズクを固体状（ペレット）に加工して各種容器や袋に充填した事を特徴とする家畜や養殖魚介類の飼料。
【手続補正２】
【補正対象書類名】図面
【補正対象項目名】図２
【補正方法】変更
【補正の内容】
【図２】
0003193208.tif 000006